(57)【特許請求の範囲】
【請求項１】
コンピュータを、
複数の異なる処理それぞれに対応する複数の項目を表示させるためのメニューボタンを画面に表示するボタン表示部、
前記メニューボタンが指定された場合に前記複数の項目の一覧を画面に表示し、前記複数の項目の一覧を表示中に当該複数の項目のうちの１つが選択された場合、当該選択された項目に対応する処理を実行すると共に、前記メニューボタンが指定された時に前記複数の項目のうちの予め設定された１つに対応する処理を自動的に実行し且つ当該自動的に実行された処理の実行以後に前記複数の項目の一覧を画面に表示し当該複数の項目の一覧のうちの当該処理の項目を他の項目から識別するように表示する処理部、
として機能させるためのプログラム。
【請求項２】
前記処理部は、前記選択された項目に対応する処理を実行した場合、当該選択された項目を前記メニューボタンが指定された時に実行する処理の項目として設定する請求項１に記載のプログラム。
【請求項３】
前記処理部が前記メニューボタンの指定に応じて実行する処理の項目は、前記複数の項目のうちの固定された１つの項目である請求項１に記載のプログラム。
【請求項４】
複数の異なる処理それぞれに対応する複数の項目を表示させるためのメニューボタンを画面に表示するボタン表示部と、
前記メニューボタンが指定された場合に、前記複数の項目の一覧を画面に表示し、前記複数の項目の一覧を表示中に当該複数の項目のうちの１つが選択された場合、当該選択された項目に対応する処理を実行する処理部と、を備え、
前記処理部は、前記メニューボタンが指定された時に前記複数の項目のうちの予め設定された１つに対応する処理を自動的に実行し且つ当該自動的に実行された処理の実行以後に前記複数の項目の一覧を画面に表示し当該複数の項目の一覧のうちの当該処理の項目を他の項目から識別するように表示する、情報処理装置。
【請求項５】
複数の異なる処理それぞれに対応する複数の項目を表示させるためのメニューボタンを画面に表示する工程と、
前記メニューボタンが指定された場合に、前記複数の項目のうちの予め設定された１つに対応する処理を自動的に実行し且つ当該自動的に実行された処理の実行以後に前記複数の項目の一覧を画面に表示し当該複数の項目の一覧のうちの当該処理の項目を他の項目から識別するように表示する工程と、
前記複数の項目の一覧を表示中に、当該複数の項目のうちの１つが選択された場合、当該選択された項目に対応する処理を実行する工程と、を含む情報処理方法。
【発明の詳細な説明】
【技術分野】
【０００１】
本発明は、操作入力に応じた処理をコンピュータに実行させるためのプログラム、操作入力に応じた処理を実行する情報処理装置及び方法に関する。
【背景技術】
【０００２】
デスクトップのＰＣ（Personal Computer）や、パームトップのＰＣ、ＰＤＡ（Personal Digital Assistant）、タブレット型コンピュータ等など、様々な形体のコンピュータが知られている。
【０００３】
コンピュータにおける処理の実行方法としては、例えば、コンピュータが、複数の項目の一覧をメニューとして表示部に表示し、操作部を介してユーザからメニューの複数の項目のうちの１つの項目の選択入力を受け付けた場合に、選択された項目に対応する処理を実行する方法があった。
【０００４】
上記のメニュー表示に関し、多くの項目（機能）のうちその時点で最も選択回数が多かったもの数個だけを項目数の少ないサブメニューに表示する電子機器が知られている（例えば、特許文献１参照）。この構成により、ユーザは、サブメニューから、項目をより少ない時間で選択操作できる。
【０００５】
また、複数の項目をプルダウンメニューに表示するコンピュータにおいて、使用されていない項目をプルダウンメニューで非表示にする構成も知られている。
【先行技術文献】
【特許文献】
【０００６】
【特許文献１】特開２００１−０２６６２６号公報
【発明の概要】
【発明が解決しようとする課題】
【０００７】
しかし、上記のようなメニュー表示に関し、ユーザは、先ず、メニューを表示させる操作を行い、さらに、表示されたメニューの複数の項目から１つの項目を選択操作しなければならなかった。このため、ユーザは、項目の処理実行までに、少なくとも２回の操作が必要であり、操作が煩雑となるおそれがあった。
【０００８】
本発明の課題は、メニュー内の項目の処理を実行するまでの操作性を向上することである。
【課題を解決するための手段】
【０００９】
上記課題を解決するために、本発明に係るプログラムは、
コンピュータを、
複数の異なる処理それぞれに対応する複数の項目を表示させるためのメニューボタンを画面に表示するボタン表示部、
前記メニューボタンが指定された場合に前記複数の項目の一覧を画面に表示し、前記複数の項目の一覧を表示中に当該複数の項目のうちの１つが選択された場合、当該選択された項目に対応する処理を実行すると共に、前記メニューボタンが指定された時に前記複数の項目のうちの予め設定された１つに対応する処理を自動的に実行し且つ当該自動的に実行された処理の実行以後に前記複数の項目の一覧を画面に表示し当該複数の項目の一覧のうちの当該処理の項目を他の項目から識別するように表示する処理部、
として機能させる。
【００１０】
また、上記プログラムにおいて、
前記処理部は、前記選択された項目に対応する処理を実行した場合、当該選択された項目を前記メニューボタンが指定された時に実行する処理の項目として設定することが好ましい。
【００１１】
また、上記プログラムにおいて、
前記処理部が前記メニューボタンの指定に応じて実行する処理の項目は、前記複数の項目のうちの固定された１つの項目であることが好ましい。
【００１２】
本発明に係る情報処理装置は、
複数の異なる処理それぞれに対応する複数の項目を表示させるためのメニューボタンを画面に表示するボタン表示部と、
前記メニューボタンが指定された場合に、前記複数の項目の一覧を画面に表示し、前記複数の項目の一覧を表示中に当該複数の項目のうちの１つが選択された場合、当該選択された項目に対応する処理を実行する処理部と、を備え、
前記処理部は、前記メニューボタンが指定された時に前記複数の項目のうちの予め設定された１つに対応する処理を自動的に実行し且つ当該自動的に実行された処理の実行以後に前記複数の項目の一覧を画面に表示し当該複数の項目の一覧のうちの当該処理の項目を他の項目から識別するように表示する。
【００１３】
本発明に係る情報処理方法は、
複数の異なる処理それぞれに対応する複数の項目を表示させるためのメニューボタンを画面に表示する工程と、
前記メニューボタンが指定された場合に、前記複数の項目のうちの予め設定された１つに対応する処理を自動的に実行し且つ当該自動的に実行された処理の実行以後に前記複数の項目の一覧を画面に表示し当該複数の項目の一覧のうちの当該処理の項目を他の項目から識別するように表示する工程と、
前記複数の項目の一覧を表示中に、当該複数の項目のうちの１つが選択された場合、当該選択された項目に対応する処理を実行する工程と、を含む。
【発明の効果】
【００１４】
本発明によれば、メニュー内の項目の処理を実行するまでの操作性を向上できる。
【図面の簡単な説明】
【００１５】
【図１】（ａ）は、本発明に係る実施の形態の携帯機器の内部構成を示すブロック図である。（ｂ）は、（ａ）の携帯機器の制御の機能構成を示すブロック図である。
【図２】ウォッチリスト表示処理のフローチャートである。
【図３】ウォッチリスト表示処理の初期画面を示す図である。
【図４】整列モードのウォッチリスト表示画面を示す図である。
【図５】目印モードのウォッチリスト表示画面を示す図である。
【図６】編集モードのウォッチリスト表示画面を示す図である。
【図７】（ａ）は、変形例のＰＣの内部構成を示すブロック図である。（ｂ）は、（ａ）のＰＣの制御の機能構成を示すブロック図である。
【図８】ブラウザ処理を示すフローチャートである。
【図９】ブラウザ画面を示す図である。
【図１０】文書作成処理を示すフローチャートである。
【図１１】文書作成画面を示す図である。
【発明を実施するための形態】
【００１６】
以下、添付図面を参照して本発明に係る実施の形態及びその変形例を詳細に説明する。なお、本発明は、図示例に限定されるものではない。
【００１７】
（実施の形態）
［１．装置構成の説明］
図１〜図５を参照して、本発明に係る実施の形態を説明する。先ず、図１を参照して、本実施の形態の装置構成を説明する。図１（ａ）は、本実施の形態の携帯機器１の内部構成を示すブロック図である。図１（ｂ）は、携帯機器１の制御の機能構成を示すブロック図である。
【００１８】
図１（ａ）に示すように、本実施の形態の情報処理装置としての携帯機器１は、タブレット型コンピュータであり、ユーザからの操作入力の受付機能、各種情報の表示機能、無線通信機能等の機能を有する。但し、本実施の形態の情報処理装置としては、携帯電話機、ＰＤＡ等の携帯機器や、デスクトップ、パームトップのＰＣ等、他の情報処理装置としてもよい。
【００１９】
また、携帯機器１は、各種アプリケーションプログラムを実行可能である。特に、携帯機器１は、ファイナンス情報として、株式における全銘柄において、ユーザが登録した所望の銘柄の情報をウォッチリストとして表示するウォッチリスト表示処理を行うためのウォッチリスト表示プログラム１５１を実行可能である。
【００２０】
携帯機器１は、ＣＰＵ（Central Processing Unit）１１と、操作部１２と、ＲＡＭ（Random Access Memory）１３と、表示部１４と、記憶部１５と、無線通信部１６と、電源部１７と、を備える。電源部１７を除く携帯機器１の各部は、バス１８を介して互いに接続されている。
【００２１】
ＣＰＵ１１は、携帯機器１の各部を中央制御する。ＣＰＵ１１は、記憶部１５に記憶された各種プログラムのうち必要なプログラムを読み出してＲＡＭ１３に記憶し、ＲＡＭ１３に記憶されたプログラムに従って、各種処理を実行する。
【００２２】
図１（ｂ）に示すように、ＣＰＵ１１は、ウォッチリスト表示プログラム１５１の実行により、ボタン表示部１１１、処理部１１２として機能する。ボタン表示部１１１は、ウォッチリスト表示を行うためのウォッチリスト表示ボタンを含む画面の表示を行う。処理部１１２は、ウォッチリスト表示ボタンタッチに応じて、予め設定された自動実行項目情報に対応する項目の処理の実行を行うとともに、ウォッチリスト表示に関する複数の項目をメニュー表示し、ユーザが選択した項目の処理の実行に応じて記憶部１５に記憶されている自動実行項目情報の更新を行う。自動実行項目情報とは、ウォッチリスト表示の項目のうち、ウォッチリスト表示ボタンタッチに応じて、自動的に処理を実行する項目の識別情報であり、本実施の形態では、前回（最後に）処理を実行した項目の識別情報である。
【００２３】
図１（ａ）に戻り、操作部１２は、表示部１４の表示パネルに設けられた静電容量式等のタッチパネルと、物理的なボタンとを含み、これらのタッチパネル及び物理的なボタンによりユーザの指等からの操作入力を受け付け、その指等の操作情報をＣＰＵ１１に出力する。
【００２４】
ＲＡＭ１３は、情報を一時的に記憶する揮発性の半導体メモリであり、各種プログラム及びデータを記憶するワークエリアを有する。
【００２５】
表示部１４は、ＬＣＤ（Liquid Crystal Display）等の表示パネルを備え、ＣＰＵ１１等から入力された各種表示情報を表示パネルに表示する。
【００２６】
記憶部１５は、ＣＰＵ１１の制御により情報を読み出し及び書き込み可能なフラッシュメモリ等の半導体メモリである。記憶部１５には、ウォッチリスト表示プログラム１５１が記憶されている。なお、記憶部１５は、半導体メモリに限定されるものではなく、ＨＤＤ（Hard Disk Drive）や、着脱式のメモリカード等としてもよい。
【００２７】
無線通信部１６は、ＷＣＤＭＡ（Wideband Code Division Multiple Access）やＨＳＤＰＡ（High Speed Downlink Packet Access）等の携帯電話通信方式の無線通信部である。無線通信部１６は、アンテナ、変調部、復調部、信号処理部等を備え、基地局と無線通信を行う。無線通信部１６は、基地局との無線通信により、基地局を介して、基地局に通信接続されている外部機器と通信を行うことができる。また、無線通信部１６は、Ｗｉ−Ｆｉ（Wireless fidelity）等の無線ＬＡＮ（Local Area Network）方式の無線通信部とし、アクセスポイントとの無線通信により、アクセスポイントに通信接続されている外部機器と通信を行うことができることとしてもよい。
【００２８】
電源部１７は、２次電池としてのリチウム電池等の電源部であり、電力供給線（図示略）で携帯機器１の各部に接続され、携帯機器１の各部に電源電力を供給する。
【００２９】
［２．動作の説明］
次に、図２〜図６を参照して、携帯機器１の動作を説明する。図２は、ウォッチリスト表示処理のフローチャートである。図３は、ウォッチリスト表示処理の初期画面３０ａを示す図である。図４は、整列モードのウォッチリスト表示画面３０ｂを示す図である。図５は、目印モードのウォッチリスト表示画面３０ｃを示す図である。図６は、編集モードのウォッチリスト表示画面３０ｄを示す図である。
【００３０】
携帯機器１において、例えば、操作部１２を介してユーザからウォッチリスト表示処理の実行指示が入力されたことをトリガとして、ＣＰＵ１１は、記憶部１５から読み出されて適宜ＲＡＭ１３に記憶されたウォッチリスト表示プログラム１５１との協働で、ウォッチリスト表示処理を実行する。
【００３１】
予め、記憶部１５には、初期設定された項目の識別情報が自動実行項目情報として記憶されているものとする。
【００３２】
図２に示すように、先ず、ボタン表示部１１１は、図３のようなメニューボタンとしてのウォッチリスト表示ボタン３２１を含む初期画面（通常画面）３０ａを表示部１４に表示する（ステップＳ１１）。初期画面３０ａは、銘柄情報表示領域３１ａと、メニュー表示領域３２ａと、平面立体切替ボタン３３と、表示順切替ボタン３４と、時系列再生ボタン３５と、を有する。
【００３３】
銘柄情報表示領域３１ａは、株式の全銘柄の株価の前日終値からの値上がり率又は値下がり率の情報を表示する。株式の全銘柄とは、例えば、日本の全株式市場（取引所）の全会社の銘柄である。銘柄情報表示領域３１ａは、複数のマス３１１ａを有する。１つのマス３１１ａは、１つの銘柄に対応している。複数のマス３１１ａは、例えば、５段階に色分けされている。マス３１１ａの色は、白色：値上がり率＋３．０１％以上、薄い灰色：値上がり率＋０．０１％以上％３．０１％未満、灰色：値上がり率（値下がり率）±０％、濃い灰色：値下がり率−０．０１％以下−３．０１％より未満、黒色：値上がり率−３．０１％以下である。但し、マス３１１ａの色分けは、白黒灰の３段階にする構成に限定されるもではなく、値上がりのマス３１１ａを青色とし、値下がりのマス３１１ａを赤色とし、値上がり率（値下がり率）が大きく（小さく）なるにつれて色が濃くなる色分けや、３段階以外の数の段階の色分けとしてもよい。銘柄情報表示領域３１ａの表示に用いられる全銘柄の値上がり率又は値下がり率を含む銘柄情報は、無線通信部１６を介して通信ネットワーク上のサーバ装置から受信したり、予め記憶部１５に記憶されており、記憶部１５から読み出すことで、取得される。
【００３４】
メニュー表示領域３２ａは、ウォッチリストに関するメニューの項目表示を行う前段階のメニュー表示領域であり、ウォッチリスト表示ボタン３２１を有する。メニュー表示領域３２ａでは、項目が露出していない。メニューの項目は、整列と、目印と、編集とであり、これらの項目のうちの１つがユーザ操作により選択可能である。整列とは、全銘柄のうち、ユーザにより予め閲覧用に登録された少なくとも１つの銘柄（登録銘柄）のマスのみを整列して表示する項目である。目印とは、全銘柄のマスを表示するとともに、登録銘柄の銘柄情報のマスに目印を表示する項目である。編集とは、登録銘柄のマスを編集用に表示する項目である。
【００３５】
ウォッチリスト表示ボタン３２１は、操作部１２を介するユーザからのタッチ（指定（押下））入力に応じて、メニューの項目一覧表示のオン／オフを切り替えるためのボタンである。
【００３６】
平面立体切替ボタン３３は、ユーザのタッチ入力に応じて、銘柄情報表示領域３１ａのマスの表示状態を平面／立体に切り替えるためのボタンである。図３等、本実施の形態では、平面立体切替ボタン３３が平面に切り替えられたケースを説明する。平面立体切替ボタン３３が立体に切り替えられた場合に、銘柄情報表示領域３１ａは、例えば、各マス３１１ａの平面が高さを持った直方体として表現され、その直方体の集まりの斜視図が表示される。直方体の高さは、例えば、出来高、売買代金又は時価総額に設定される。
【００３７】
表示順切替ボタン３４は、ユーザのタッチ入力に応じて、銘柄情報表示領域３１ａに表示される銘柄の並び順を、会社の業種、創立年、（社員の）平均年収、従業員数又は平均年齢に基づく順番に切り替えるためのボタンである。
【００３８】
時系列再生ボタン３５は、ユーザのタッチ入力に応じて、銘柄情報表示領域３１ａに銘柄情報の時系列の変化を再生表示するためのボタン等である。
【００３９】
図２に戻り、ステップＳ１１の実行後、処理部１１２は、操作部１２を介してユーザからの操作入力を受け付ける（ステップＳ１２）。そして、処理部１１２は、ステップＳ１２において、操作入力があったか否かを判別する（ステップＳ１３）。操作入力がない場合（ステップＳ１３；ＮＯ）、ステップＳ１２に移行される。
【００４０】
操作入力がある場合（ステップＳ１３；ＹＥＳ）、処理部１１２は、ステップＳ１２でウォッチリスト表示ボタン３２１がタッチ（指定）入力されたか否かを判別する（ステップＳ１４）。ウォッチリスト表示ボタン３２１がタッチ入力された場合（ステップＳ１４；ＹＥＳ）、処理部１１２は、項目一覧のメニュー表示がオンであるか否かを判別する（ステップＳ１５）。
【００４１】
項目の一覧の表示がオフである場合（ステップＳ１５；ＮＯ）、処理部１１２は、記憶部１５に記憶されている自動実行項目情報を読み出す（ステップＳ１６）。
【００４２】
そして、処理部１１２は、ステップＳ１６で読み出した自動実行項目情報に対応する前回実行した項目の処理を実行する（ステップＳ１７）。そして、処理部１１２は、ウォッチリスト表示に関する全ての項目の一覧を表示部１４にメニュー表示してその表示をオンし（ステップＳ１８）、ステップＳ１２に移行される。
【００４３】
例えば、ステップＳ１６で読み出された自動実行項目情報が整列である場合に、ステップＳ１７，Ｓ１８で、図４に示す整列モードのウォッチリスト表示画面３０ｂが表示される。ウォッチリスト表示画面３０ｂは、銘柄情報表示領域３１ｂと、メニュー表示領域３２ｂと、平面立体切替ボタン３３と、表示順切替ボタン３４と、時系列再生ボタン３５と、を有する。
【００４４】
銘柄情報表示領域３１ｂは、ユーザにより事前に登録された登録銘柄のみの銘柄情報のマス３１１ｂを整列してマトリクス状に表示する。マス３１１ｂには、各登録銘柄の名称、業種、取引値、前日比の値上がり値又は値下がり値、前日比の値上がり率又は値下がり率の銘柄情報が、含まれている。
【００４５】
なお、図３の初期画面３０ａにおいて、操作部１２を介して画面の拡大操作入力を行うと、マス３１１ａが拡大されて、全銘柄について、図４のマス３１１ｂのように、各銘柄の銘柄情報を含むように表示される。
【００４６】
メニュー表示領域３２ｂは、ウォッチリスト表示ボタン３２１と、項目ボタン３２２，３２３，３２４を含む。項目ボタン３２２は、項目として整列を選択するための項目ボタンである。項目ボタン３２３は、項目として目印を選択するための項目ボタンである。項目ボタン３２４は、項目として編集を選択するための項目ボタンである。項目ボタン３２２，３２３，３２４は、ユーザのタッチ操作により、各項目が選択される。選択された項目の処理は、処理部１１２により後述するステップＳ２１で実行される。
【００４７】
この場合に、ステップＳ１７において、整列モードで登録銘柄が銘柄情報表示領域３１ｂに表示されるとともに（同時に）、ステップＳ１８において、整列の項目ボタン３２２が選択中の状態でメニュー表示領域３２ｂが表示される。
【００４８】
また、ステップＳ１６で読み出された自動実行項目情報が目印である場合に、ステップＳ１７，Ｓ１８で、図５に示す目印モードのウォッチリスト表示画面３０ｃが表示される。ウォッチリスト表示画面３０ｃは、銘柄情報表示領域３１ｃと、メニュー表示領域３２ｂと、平面立体切替ボタン３３と、表示順切替ボタン３４と、時系列再生ボタン３５と、を有する。
【００４９】
銘柄情報表示領域３１ｃは、登録銘柄のマス３１１ｃと、登録銘柄以外の銘柄のマス３１２ｃとをマトリクス状に表示する。マス３１１ｃ，３１２ｃは、図３の初期画面３０ａのマス３１１ａと同様の大きさである。また、マス３１１ｃは、登録銘柄であることを示す目印として囲いが強調表示されている。
【００５０】
この場合に、ステップＳ１７において、目印モードで銘柄情報表示領域３１ｃが表示されるとともに（同時に）、ステップＳ１８において、目印の項目ボタン３２３が選択中の状態でメニュー表示領域３２ｂが表示される。
【００５１】
また、ステップＳ１６で読み出された自動実行項目情報が編集である場合に、ステップＳ１７，Ｓ１８で、図６に示す編集モードのウォッチリスト表示画面３０ｄが表示される。ウォッチリスト表示画面３０ｄは、銘柄情報表示領域３１ｄと、メニュー表示領域３２ｂと、平面立体切替ボタン３３と、表示順切替ボタン３４と、時系列再生ボタン３５と、を有する。
【００５２】
銘柄情報表示領域３１ｄは、登録銘柄の銘柄情報のマス３１１ｄをマトリクス状に表示する。マス３１１ｄに関し、操作部１２を介するユーザからの操作入力に応じて、登録銘柄の追加、削除等の編集がなされる。また、項目ボタン３２４の選択中は、項目ボタン３２４の文字が“編集”から“完了”に切り替わる。
【００５３】
この場合に、ステップＳ１７において、銘柄情報表示領域３１ｄが表示されるとともに（同時に）、ステップＳ１８において、編集の項目ボタン３２４が選択中の状態でメニュー表示領域３２ｂが表示される。銘柄情報表示領域３１ｂ，３１ｃ，３１ｄの表示に用いられる、全銘柄の値上がり率又は値下がり率を含む銘柄情報とユーザが登録した登録銘柄の識別子（銘柄名）とは、無線通信部１６を介して通信ネットワーク上のサーバ装置から受信したり、予め記憶部１５に記憶されており、記憶部１５から読み出すことで、取得される。
【００５４】
図２に戻り、項目の一覧の表示がオンである場合（ステップＳ１５；ＹＥＳ）、処理部１１２は、表示中の項目の一覧を表示部１４から消去してその表示をオフし（ステップＳ１９）、ステップＳ１２に移行される。つまり、メニュー表示領域は、図３のメニュー表示領域３２ａでウォッチリスト表示ボタン３２１がタッチ入力されることにより、引き出しの開放のように項目ボタン３２２，３２３，３２４が引き出されてメニュー表示領域３２ｂとして表示され、図４等のメニュー表示領域３２ｂでウォッチリスト表示ボタン３２１がタッチ入力されることにより、引き出しの収納のように項目ボタン３２２，３２３，３２４が非表示になりメニュー表示領域３２ａとして表示される。
【００５５】
なお、メニュー表示領域３２ａとメニュー表示領域３２ｂとの切り替え表示は、アニメーションのように動画として時系列に滑らかに移行するように表示させることとしてもよい。また、ウォッチリスト表示ボタン３２１の模様は、図３〜図７のものに限定される物ではなく、例えば、メニュー表示領域３２ａで引き出す方向の矢印（←）とし、メニュー表示領域３２ｂで収納する方向の矢印（→）とする構成としてもよい。
【００５６】
ウォッチリスト表示ボタン３２１がタッチ入力されていない場合（ステップＳ１４；ＮＯ）、処理部１１２は、ステップＳ１２でウォッチリスト表示処理の終了操作がなされたか否かを判別する（ステップＳ２０）。終了操作がなされた場合（ステップＳ２０；ＹＥＳ）、ウォッチリスト表示処理が終了する。
【００５７】
終了操作がなされていない場合（ステップＳ２０；ＮＯ）、ウォッチリスト表示ボタン３２１タッチ及び終了操作以外の操作がなされており、処理部１１２は、ステップＳ１２での操作内容に応じた処理を実行する（ステップＳ２１）。
【００５８】
そして、処理部１１２は、ステップＳ１２で、表示オン中のメニュー表示領域の項目の一覧のうちからユーザ操作により項目が１つ選択操作され、ステップＳ２１で、前記選択された項目の処理が実行されたか否かを判別する（ステップＳ２２）。つまり、ステップＳ２２では、メニュー表示領域３２ｂの項目ボタン３２２，３２３，３２４の１つがユーザにより選択されてタッチ（指定）入力され、このタッチに応じて整列モード、目印モード又は編集モードでの銘柄情報表示領域３１ｂ，３１ｃ又は３１ｄが表示処理されたか否かが判別される。表示オン中のメニュー表示領域の項目の一覧のうちの項目の処理が実行されていない場合（ステップＳ２２；ＮＯ）、ステップＳ１２に移行される。
【００５９】
表示オン中のメニュー表示領域の項目の一覧のうちの項目の処理が実行された場合（ステップＳ２２；ＹＥＳ）、処理部１１２は、記憶部１５に記憶されている自動実行項目情報を、ステップＳ２１で処理実行された項目の識別情報に更新して設定し（ステップＳ２３）、ステップＳ１２に移行される。
【００６０】
［３．効果］
以上、本実施の形態によれば、携帯機器１は、複数の異なる処理（整列モード、目印モード、編集モードのウォッチリスト表示）それぞれに対応する複数の項目（整列、目印、編集）を表示させるためのウォッチリスト表示ボタン３２１を表示部１４の画面に表示し、ウォッチリスト表示ボタン３２１がタッチ入力された場合に、前記複数の項目のうちの予め設定された１つに対応する処理を実行するとともに、前記複数の項目の一覧をメニュー表示領域３２ｂとして表示部１４の画面に表示する。さらに、携帯機器１は、複数の項目（整列、目印、編集）の一覧を表示中に、当該複数の項目のうちの１つが選択された場合、当該選択された項目に対応する処理を実行する。このため、ウォッチリスト表示ボタン３２１がタッチ入力され、複数の項目の一覧を表示する場合に、そのうちの１つの項目の処理を自動的に実行でき、項目の処理を実行するまでの操作が煩雑になることを低減して、操作性を向上できる。
【００６１】
また、携帯機器１は、複数の項目（整列、目印、編集）の一覧を表示中に、当該複数の項目のうちの１つが選択された場合、当該選択された項目に対応する処理を実行し、一覧表示終了後、再びウォッチリスト表示ボタン３２１がタッチ入力された時に前回の一覧表示終了時に選択されて実行されていた項目に対応する処理を実行する。このため、ウォッチリスト表示ボタン３２１がタッチ入力された時に、前回実行されてこれから実行する可能性の高い項目の処理を実行でき、実行する処理の項目選択のやり直しを低減でき、操作性をより向上できる。
【００６２】
（変形例）
［１．装置構成の説明］
図７〜図１１を参照して、上記実施の形態の変形例を説明する。図７（ａ）は、本変形例のＰＣ２の内部構成を示すブロック図である。図７（ｂ）は、ＰＣ２の制御の機能構成を示すブロック図である。図８は、ブラウザ処理を示すフローチャートである。図９は、ブラウザ画面４０を示す図である。図１０は、文書作成処理を示すフローチャートである。図１１は、文書作成画面５０を示す図である。
【００６３】
図７を参照して、本実施の形態の装置構成を説明する。図７（ａ）に示すように、本変形例の情報処理装置としてのＰＣ２は、デスクトップのＰＣであり、ユーザからの操作入力の受付機能、各種情報の表示機能、無線通信機能等の機能を有する。但し、本変形例の情報処理装置としては、パームトップのＰＣ、タブレット型コンピュータ、携帯電話機、ＰＤＡ等の携帯機器等、他の情報処理装置としてもよい。
【００６４】
また、ＰＣ２は、各種アプリケーションプログラムを実行可能である。特に、ＰＣ２は、インターネットのＷｅｂサイトを表示するためのブラウザプログラム２５１、文書作成機能を提供するための文書作成プログラム２５２、を実行可能である。
【００６５】
ＰＣ２は、ＣＰＵ２１と、操作部２２と、ＲＡＭ２３と、表示部２４と、記憶部２５と、通信部２６と、を備える。ＰＣ２の各部は、バス２７を介して互いに接続されている。
【００６６】
ＣＰＵ２１は、ＰＣ２の各部を中央制御する。ＣＰＵ２１は、記憶部２５に記憶された各種プログラムのうち必要なプログラムを読み出してＲＡＭ２３に記憶し、ＲＡＭ２３に記憶されたプログラムに従って、各種処理を実行する。
【００６７】
図７（ｂ）に示すように、ＣＰＵ２１は、ブラウザプログラム２５１又は文書作成プログラム２５２の実行により、ボタン表示部２１１、処理部２１２として機能する。ブラウザプログラム２５１の実行により、ボタン表示部２１１は、ユーザが登録した所望の複数のＷｅｂサイト（お気に入りサイト）の表示に関し複数の項目としてのお気に入りサイトのサイト名の一覧をメニュー表示するためのお気に入りボタンを含む画面の表示を行う。処理部２１２は、お気に入りボタン押下に応じて、予め設定された自動表示サイト情報に対応するＷｅｂサイトの表示処理の実行を行うとともに、お気に入りの複数のサイト名の一覧をメニュー表示し、ユーザが選択したサイト名のＷｅｂサイトの表示処理の実行に応じて記憶部１５に記憶されている自動表示サイト情報の更新を行う。自動表示サイト情報とは、お気に入りサイトのサイト名のうち、お気に入りボタン押下に応じて、自動的に表示処理を実行するサイトのサイト名（識別情報）であり、本変形例では、前回（最後に）表示処理を実行したサイト名である。
【００６８】
また、文書作成プログラム２５２の実行により、ボタン表示部２１１は、ファイルに関連する複数の処理を実行する複数の項目をメニュー表示するためのファイルボタンを含む画面の表示を行う。処理部２１２は、ファイルボタン押下に応じて、予め設定された固定項目情報に対応する項目の処理の実行を行うとともに、ファイルに関する複数の項目の一覧をメニュー表示する。固定項目情報とは、ファイルボタン押下に応じて、自動的に処理を実行する項目の識別情報であり、本変形例では、予め固定的に設定された項目の識別情報である。ここでは、固定項目情報が、文書表示領域５１に表示中の文書のファイルを記憶部２５に上書き保存する上書き保存の識別情報であるものとする。しかし、固定項目情報は、これに限定されるものではなく、他の項目の識別情報としてもよい。
【００６９】
図７（ａ）に戻り、操作部２２は、各種キーを有するキーボードと、マウス等のポインティングデバイスとを備え、これらのキーボード及びポインティングデバイスによりユーザからの操作入力を受け付け、その操作情報をＣＰＵ２１に出力する。
【００７０】
ＲＡＭ２３は、情報を一時的に記憶する揮発性の半導体メモリであり、各種プログラム及びデータを記憶するワークエリアを有する。
【００７１】
表示部２４は、ＬＣＤ（Liquid Crystal Display）等の表示パネルを備え、ＣＰＵ２１等から入力された各種表示情報を表示パネルに表示する。
【００７２】
記憶部２５は、ＣＰＵ２１の制御により情報を読み出し及び書き込み可能なＨＤＤ等のメモリである。記憶部２５には、ブラウザプログラム２５１及び文書作成プログラム２５２が記憶されている。なお、記憶部２５は、ＨＤＤに限定されるものではない。
【００７３】
通信部２６は、インターネット等のネットワークに通信接続される通信カード等の通信部であり、当該ネットワークを介して接続された外部機器と情報を送受信する。
【００７４】
［２−１．動作の説明（ブラウザ処理）］
次に、図８〜図１１を参照して、ＰＣ２の動作を説明する。先ず、図８及び図９を参照して、ＰＣ２で実行されるブラウザ処理を説明する。
【００７５】
ＰＣ２において、例えば、操作部２２を介してユーザからブラウザ処理の実行指示が入力されたことをトリガとして、ＣＰＵ２１は、記憶部２５から読み出されて適宜ＲＡＭ２３に記憶されたブラウザプログラム２５１との協働で、ブラウザ処理を実行する。
【００７６】
予め、記憶部２５には、初期設定されたＷｅｂサイトのサイト名が自動表示サイト情報として記憶されているものとする。
【００７７】
図８に示すように、先ず、ボタン表示部２１１は、メニューボタンとしてのお気に入りボタンを含むブラウザの初期画面を表示部２４に表示する（ステップＳ３１）。ステップＳ３１では、図９に示すＷｅｂサイト表示領域４１と、お気に入りボタン４２とを含むブラウザの初期画面が表示される。
【００７８】
Ｗｅｂサイト表示領域４１は、Ｗｅｂサイトが表示される領域である。お気に入りボタン４２は、標準メニューのボタンの１つであり、操作部１２を介するユーザからのクリック等による押下（指定）入力に応じて、ユーザが登録した複数のＷｅｂサイト（お気に入りサイト）の項目としてのサイト名の一覧（お気に入りサイトメニュー表示領域４３）のメニュー表示のオン／オフを切り替えるためのボタンである。標準メニューは、お気に入りボタン４２の他に、ファイル、編集、表示、ツール、ヘルプ等のボタンを含む。ブラウザの初期画面では、お気に入りサイトメニュー表示領域４３の表示がオフされている。
【００７９】
図８に戻り、ステップＳ３１の実行後、処理部２１２は、操作部２２を介してユーザからの操作入力を受け付ける（ステップＳ３２）。そして、処理部２１２は、ステップＳ３２において、操作入力があったか否かを判別する（ステップＳ３３）。操作入力がない場合（ステップＳ３３；ＮＯ）、ステップＳ３２に移行される。
【００８０】
操作入力がある場合（ステップＳ３３；ＹＥＳ）、処理部２１２は、ステップＳ３２でお気に入りボタン４２が押下（指定）入力されたか否かを判別する（ステップＳ３４）。お気に入りボタン４２が押下入力された場合（ステップＳ３４；ＹＥＳ）、処理部２１２は、お気に入りサイトのサイト名の一覧（お気に入りサイトメニュー表示領域４３）のメニュー表示がオンであるか否かを判別する（ステップＳ３５）。
【００８１】
サイト名の一覧の表示がオフである場合（ステップＳ３５；ＮＯ）、処理部２１２は、記憶部２５に記憶されている自動表示サイト情報を読み出す（ステップＳ３６）。
【００８２】
そして、処理部２１２は、ステップＳ３６で読み出した自動表示サイト情報に対応する前回表示処理したサイト名のＷｅｂサイトの画像を表示部２４に表示する処理を実行する（ステップＳ３７）。そして、処理部２１２は、お気に入りサイトのサイト名の一覧（お気に入りサイトメニュー表示領域４３）を表示部２４にメニュー表示してその表示をオンし（ステップＳ３８）、ステップＳ３２に移行される。
【００８３】
例えば、ステップＳ３６で読み出された自動表示サイト情報がポータルサイトＣＣＣである場合に、ステップＳ３７，Ｓ３８で、図９に示すブラウザ画面４０が表示される。ブラウザ画面４０は、Ｗｅｂサイト表示領域４１と、お気に入りボタン４２と、お気に入りサイトメニュー表示領域４３とを含む。お気に入りサイトメニュー表示領域４３は、お気に入りサイトのサイト名の一覧を示すドロップダウンリストを表示する領域であり、サイト名を選択するための複数のサイト名ボタン４３ａを有する。
【００８４】
この場合、ステップＳ３７において、ポータルサイトＣＣＣに対応するＷｅｂサイト表示領域４１が表示されるとともに（同時に）、ステップＳ３８において、お気に入りサイトメニュー表示領域４３にドロップダウンリストが表示される。このとき、ポータルサイトＣＣＣに対応するサイト名ボタン４３ａが、他のサイト名ボタン４３ａから識別できるような表示がなされる。この識別表示は、例えば、色の変更、ハイライト表示である。しかし、この識別表示に限定されるものではなく、ポータルサイトＣＣＣに対応するサイト名ボタン４３ａが、他のサイト名ボタン４３ａと同様に表示されることとしてもよい。お気に入りサイトメニュー表示領域４３の表示に用いられるユーザにより登録されたお気に入りのＷｅｂサイトのサイト名は、予め記憶部２５に記憶されており、記憶部２５から読み出すことで、取得される。
【００８５】
図８に戻り、サイト名の一覧の表示がオンである場合（ステップＳ３５；ＹＥＳ）、処理部２１２は、サイト名の一覧（お気に入りサイトメニュー表示領域４３）を表示部２４から表示消去してその表示をオフし（ステップＳ３９）、ステップＳ３２に移行される。つまり、お気に入りサイトは、初期画面で、お気に入りボタン４２が押下されることにより、引き出しの開放のようにお気に入りサイトメニュー表示領域４３にリストがプルダウンされて表示され、図９のブラウザ画面４０で引き出しの収納のようにお気に入りサイトメニュー表示領域４３のリストが非表示になる。お気に入りサイトメニュー表示領域４３の表示のオン／オフの切り替えは、アニメーションのように動画としてスムーズに表示させることとしてもよい。
【００８６】
お気に入りボタン４２が押下入力されていない場合（ステップＳ３４；ＮＯ）、処理部２１２は、ステップＳ３２でブラウザ処理の終了操作がなされたか否かを判別する（ステップＳ４０）。終了操作がなされた場合（ステップＳ４０；ＹＥＳ）、ブラウザ処理が終了する。
【００８７】
終了操作がなされていない場合（ステップＳ４０；ＮＯ）、お気に入りボタン４２押下及び終了操作以外の操作がなされており、処理部２１２は、ステップＳ３２での操作内容に応じた処理を実行する（ステップＳ４１）。
【００８８】
そして、処理部２１２は、ステップＳ３２で、表示オン中のお気に入りサイトのサイト名の一覧のうちからユーザ操作によりサイト名が１つ選択操作され、ステップＳ４１で、前記選択されたサイト名のＷｅｂサイトの表示処理が実行されたか否かを判別する（ステップＳ４２）。つまり、お気に入りサイトメニュー表示領域４３のサイト名ボタン４３ａの１つがユーザにより選択されて押下（指定）入力され、この押下に応じて選択されたＷｅｂサイトのＵＲＬに基づいてそのサイトにアクセスして表示処理されたか否かが判別される。表示オン中のお気に入りサイトのサイト名のＷｅｂサイトの表示処理が実行されていない場合（ステップＳ４２；ＮＯ）、ステップＳ３２に移行される。
【００８９】
表示オン中のお気に入りサイトのサイト名のＷｅｂサイトの表示処理が実行された場合（ステップＳ４２；ＹＥＳ）、処理部２１２は、記憶部２５に記憶されている自動表示サイト情報を、ステップＳ４１で表示処理が実行されたＷｅｂサイトのサイト名に更新して設定し（ステップＳ４３）、ステップＳ３２に移行される。
【００９０】
［２−２．動作（文書作成処理）］
次いで、図１０及び図１１を参照して、ＰＣ２で実行される文書作成処理を説明する。
【００９１】
ＰＣ２において、例えば、操作部２２を介してユーザから文書作成処理の実行指示が入力されたことをトリガとして、ＣＰＵ２１は、記憶部２５から読み出されて適宜ＲＡＭ２３に記憶された文書作成プログラム２５２との協働で、文書作成処理を実行する。
【００９２】
予め、記憶部２５には、固定的に初期設定された処理の項目（例えば、上書き保存）の識別情報が固定項目情報として記憶されているものとする。
【００９３】
図１０に示すように、先ず、ボタン表示部２１１は、メニューボタンとしてのファイルボタンを含む文書作成の初期画面を表示部２４に表示する（ステップＳ５１）。ステップＳ５１では、図１１に示す文書表示領域５１と、ファイルボタン５２とを含む文書作成の初期画面が表示される。
【００９４】
文書表示領域５１は、閲覧・作成対象の文書が表示される領域である。ファイルボタン５２は、標準メニューのボタンの１つであり、操作部１２を介するユーザのクリック等による押下（指定）入力に応じて、文書のファイルに関する処理に対応する項目の一覧の項目メニュー表示領域５３における表示のオン／オフを切り替えるためのボタンである。標準メニューは、ファイルボタン５２の他に、編集、挿入、書式、ツール、罫線、ヘルプ等のボタンを含む。文書作成の初期画面では、項目メニュー表示領域５３のメニュー表示がオフされている。
【００９５】
図１０に戻り、ステップＳ５１の実行後、処理部２１２は、操作部２２を介してユーザからの操作入力を受け付ける（ステップＳ５２）。そして、処理部２１２は、ステップＳ５２において、操作入力があったか否かを判別する（ステップＳ５３）。操作入力がない場合（ステップＳ５３；ＮＯ）、ステップＳ５２に移行される。
【００９６】
操作入力がある場合（ステップＳ５３；ＹＥＳ）、処理部２１２は、ステップＳ５２でファイルボタン５２が押下（指定）入力されたか否かを判別する（ステップＳ５４）。ファイルボタン５２が押下入力された場合（ステップＳ５４；ＹＥＳ）、処理部２１２は、ファイルに関する項目の一覧の表示がオンであるか否かを判別する（ステップＳ５５）。
【００９７】
項目の一覧の表示がオフである場合（ステップＳ５５；ＮＯ）、処理部２１２は、記憶部２５に記憶されている固定項目情報を読み出す（ステップＳ５６）。
【００９８】
そして、処理部２１２は、ステップＳ５６で読み出した固定項目情報に対応する項目の処理を実行する（ステップＳ５７）。そして、処理部２１２は、ファイルに関する項目の一覧（項目メニュー表示領域５３）を表示部２４にメニュー表示してその表示をオンし（ステップＳ５８）、ステップＳ５２に移行される。
【００９９】
例えば、ステップＳ５６で読み出された固定項目情報が「上書き保存」である場合に、ステップＳ５７，Ｓ５８で、図１１に示す文書作成画面５０が表示される。文書作成画面５０は、文書表示領域５１と、ファイルボタン５２と、項目メニュー表示領域５３とを含む。項目メニュー表示領域５３は、ファイルに関する項目の一覧を示すドロップダウンリストであり、項目を選択するための複数の項目ボタン５３ａを有する。
【０１００】
この場合、ステップＳ５７において、文書表示領域５１のファイルが上書き保存されるとともに（同時に）、ステップＳ５８において、項目メニュー表示領域５３が表示される。このとき、上書き保存に対応する項目ボタン５３ａが、他の項目ボタン５３ａから識別できるような表示がなされる。この識別表示は、例えば、色の変更、ハイライト表示である。しかし、この識別表示に限定されるものではなく、上書き保存に対応する項目ボタン５３ａが、他の項目ボタン５３ａと同様に表示されることとしてもよい。
【０１０１】
図１０に戻り、項目の一覧の表示がオンである場合（ステップＳ５５；ＹＥＳ）、処理部２１２は、項目の一覧（項目メニュー表示領域５３）を表示部２４から表示消去してその表示をオフし（ステップＳ５９）、ステップＳ５２に移行される。つまり、プルダウンメニューは、初期画面で、ファイルボタン５２が押下されることにより、引き出しの開放のように項目メニュー表示領域５３にリストがプルダウンされて表示され、図１１の文書作成画面５０で引き出しの収納のように項目メニュー表示領域５３のリストが未表示になる。項目メニュー表示領域５３のメニュー表示のオン／オフの切り替えは、アニメーションのように動画としてスムーズに表示させることとしてもよい。
【０１０２】
ファイルボタン５２が押下入力されていない場合（ステップＳ５４；ＮＯ）、処理部２１２は、ステップＳ５２で文書作成処理の終了操作がなされたか否かを判別する（ステップＳ６０）。終了操作がなされた場合（ステップＳ６０；ＹＥＳ）、文書作成処理が終了する。
【０１０３】
終了操作がなされていない場合（ステップＳ６０；ＮＯ）、ファイルボタン５２押下及び終了操作以外の操作がなされており、処理部２１２は、ステップＳ５２での操作内容に応じた処理を実行し（ステップＳ６１）、ステップＳ５２に移行される。
【０１０４】
［３−１．効果（ブラウザ処理）］
以上、本変形例によれば、ＰＣ２は、ブラウザ処理の実行により、複数の異なる処理（お気に入りサイトの複数のＷｅｂサイトの表示）それぞれに対応する複数のサイト名を表示させるためのお気に入りボタン４２を表示部２４の画面に表示し、お気に入りボタン４２が押下入力された場合に、前記複数のサイト名のうちの予め設定された１つに対応するＷｅｂサイトの表示処理を実行するとともに、前記複数のサイト名の一覧をお気に入りサイトメニュー表示領域４３として表示部２４の画面に表示する。さらに、ＰＣ２は、複数のサイト名の一覧を表示中に、当該複数のサイト名のうちの１つが選択された場合、当該選択されたサイト名に対応するＷｅｂサイトの表示処理を実行する。このため、お気に入りボタン４２が押下入力され、複数のサイト名の一覧を表示する場合に、そのうちの１つのサイト名のＷｅｂサイトの表示処理を自動的に実行でき、Ｗｅｂサイトの表示処理を実行するまでの操作が煩雑になることを低減して、操作性を向上できる。
【０１０５】
また、ＰＣ２は、ブラウザ処理の実行により、複数のサイト名の一覧を表示中に、当該複数のサイト名のうちの１つが選択された場合、当該選択されたサイト名に対応するＷｅｂサイトの表示処理を実行し、一覧表示終了後、再びお気に入りボタン４２が押下入力された時に前回の一覧表示終了時に表示されていたサイトの表示処理を実行する。このため、お気に入りボタン４２が押下入力された時に、前回実行されてこれから実行する可能性の高いサイト名のＷｅｂサイトの表示処理を実行でき、実行する表示処理のサイト名選択のやり直しを低減でき、操作性をより向上できる。
【０１０６】
［３−２．効果（文書作成処理）］
また、本変形例によれば、ＰＣ２は、文書作成処理の実行により、複数の異なる処理（ファイルに関する上書き保存等の複数の処理）それぞれに対応する複数の項目（上書き保存等）を表示させるためのファイルボタン５２を表示部２４の画面に表示し、ファイルボタン５２が押下入力された場合に、前記複数の項目のうちの予め設定された１つに対応する処理（上書き保存）を実行するとともに、前記複数の項目の一覧を項目メニュー表示領域５３として表示部２４の画面に表示する。さらに、ＰＣ２は、複数の項目の一覧を表示中に、当該複数の項目のうちの１つが選択された場合、当該選択された項目に対応する処理を実行する。このため、ファイルボタン５２が押下入力され、複数の項目の一覧を表示する場合に、そのうちの１つの項目の処理を自動的に実行でき、項目の処理を実行するまでの操作が煩雑になることを低減して、操作性を向上できる。
【０１０７】
また、文書作成処理の実行により、ファイルボタン５２の押下に応じて実行する処理の項目は、項目メニュー表示領域５３の複数の項目のうちの固定された１つの項目である。このため、ファイルボタン５２が押下入力された時に、これから実行する可能性の高い項目の処理を実行でき、実行する処理の項目選択のやり直しを低減でき、操作性をより向上できる。
【０１０８】
以上の説明では、本発明に係るプログラムのコンピュータ読み取り可能な媒体としてフラッシュメモリ、ＨＤＤを使用した例を開示したが、この例に限定されない。
その他のコンピュータ読み取り可能な媒体として、ＲＯＭ（Read Only Memory）等の不揮発性メモリ、ＣＤ−ＲＯＭ等の可搬型記録媒体を適用することが可能である。
また、本発明に係るプログラムのデータを通信回線を介して提供する媒体として、キャリアウエーブ（搬送波）も本発明に適用される。
【０１０９】
なお、上記実施の形態における記述は、本発明に係るプログラム、情報処理装置及び方法の一例であり、これに限定されるものではない。
【０１１０】
上記実施の形態及び変形例では、文書作成処理において、メニューボタンの指定に応じて、複数の項目の一覧のうちの予め固定された項目の処理を実行する構成としたが、ウォッチリスト表示、ブラウザ表示等、他の処理においても、複数の項目の一覧のうちの予め固定された項目の処理を実行する構成としてもよい。また、文書作成処理等においても、メニューボタンの指定に応じて、項目の一覧のうちの前回実行された項目の処理を実行する構成としてもよい。
【０１１１】
また、実施の形態及び変形例では、自動実行項目情報、自動表示サイト情報、固定項目情報が、記憶部１５，２５に記憶される構成としたが、これに限定されるものではない。例えば、自動実行項目情報、自動表示サイト情報、固定項目情報が、ＲＡＭ１３，２３に記憶される構成としてもよい。
【０１１２】
また、実施の形態及び変形例では、メニューボタンの指定に応じて、複数の項目の一覧のうちの項目の処理が実行されるとともに、当該複数の項目の一覧が表示されるような項目の一覧の表示が１階層の構成を説明したが、これに限定されるものではなく、項目の一覧の表示が複数の階層の構成としてもよい。例えば、複数の項目の一覧が表示され、そのうちの１つの項目をユーザが選択すると、その選択した項目の下位にさらに複数の項目の一覧が表示される２階層の構成の場合に、メニューボタンの指定に応じて、予め設定された最下層（２階層目）の１つの項目の処理が実行されるとともに、１回層目の複数の項目の一覧と、前記処理が実行された項目の下位の２階層目の複数の項目の一覧とが表示される構成としてもよい。
【０１１３】
また、上記実施の形態における携帯機器１及びＰＣ２の各構成要素の細部構成及び細部動作に関しては、本発明の趣旨を逸脱することのない範囲で適宜変更可能であることは勿論である。
【０１１４】
今回開示された実施の形態及び変形例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１５】
１  携帯機器
１１  ＣＰＵ
１１１  ボタン表示部
１１２  処理部
１２  操作部
１３  ＲＡＭ
１４  表示部
１５  記憶部
１５１  ウォッチリスト表示プログラム
１６  無線通信部
１７  電源部
１８  バス
２  ＰＣ
２１  ＣＰＵ
２１１  ボタン表示部
２１２  処理部
２２  操作部
２３  ＲＡＭ
２４  表示部
２５  記憶部
２５１  ブラウザプログラム
２５２  文書作成プログラム
２６  通信部
２７  バス
【図１】
0005683442.tif 000002
【図２】
0005683442.tif 000003
【図３】
0005683442.tif 000004
【図４】
0005683442.tif 000005
【図５】
0005683442.tif 000006
【図６】
0005683442.tif 000007
【図７】
0005683442.tif 000008
【図８】
0005683442.tif 000009
【図９】
0005683442.tif 000010
【図１０】
0005683442.tif 000011
【図１１】
0005683442.tif 000012